【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
変換ブロックの変換係数がＤＣ変換係数かどうかを決定することと、
前記変換係数が前記変換ブロックの前記ＤＣ変換係数であると決定される場合、前記変換ブロックのサイズとは無関係に、前記ＤＣ変換係数である前記変換係数に基づいて前記変換係数を復号するためのコンテキストを決定することと、
決定された前記コンテキストを使用して前記変換係数をエントロピー復号することとを備える、方法。
【請求項２】
前記変換係数が第１の変換係数を備え、前記変換ブロックが第１の変換ブロックを備え、前記サイズが第１のサイズを備え、
前記方法は、
第２の変換ブロックの第２の変換係数がＤＣ変換係数かどうかを決定することと、前記第２の変換ブロックが、前記第１の変換ブロックの前記第１のサイズとは異なる第２のサイズを有する、
前記第２の変換係数が前記第２の変換ブロックの前記ＤＣ変換係数であると決定される場合、前記第２のサイズとは無関係に、前記第２の変換ブロックの前記ＤＣ変換係数である前記変換係数に基づいて、前記第２の変換係数を復号するための、前記第１の変換係数に対するコンテキストと同じコンテキストを決定することと、
決定された前記コンテキストを使用して、前記第２の変換係数をエントロピー復号することとをさらに備える、請求項１に記載の方法。
【請求項３】
ビデオデータを符号化する方法であって、
変換ブロックの変換係数がＤＣ変換係数かどうかを決定することと、
前記変換係数が前記変換ブロックの前記ＤＣ変換係数であると決定される場合、前記変換ブロックのサイズとは無関係に、前記ＤＣ変換係数である前記変換係数に基づいて前記変換係数を符号化するためのコンテキストを決定することと、
決定された前記コンテキストを使用して前記変換係数をエントロピー符号化することとを備える、方法。
【請求項４】
前記変換係数が第１の変換係数を備え、前記変換ブロックが第１の変換ブロックを備え、前記サイズが第１のサイズを備え、前記方法は、
第２の変換ブロックの第２の変換係数がＤＣ変換係数かどうかを決定することと、前記第２の変換ブロックが、前記第１の変換ブロックの前記第１のサイズとは異なる第２のサイズを有する、
前記第２の変換係数が前記第２の変換ブロックの前記ＤＣ変換係数であると決定される場合、前記第２のサイズとは無関係に、前記第２の変換ブロックの前記ＤＣ変換係数である前記変換係数に基づいて前記第２の変換係数を符号化するための同じコンテキストを決定することと、
決定された前記コンテキストを使用して、前記第２の変換係数をエントロピー符号化することとをさらに備える、請求項３に記載の方法。
【請求項５】
前記コンテキストを決定することが、複数の異なるサイズの変換ブロックに対して同じコンテキストに前記ＤＣ変換係数をマッピングするデータから、前記コンテキストを選択することを備える、請求項１又は３に記載の方法。
【請求項６】
前記複数の異なるサイズの変換ブロックが、４×４の変換ブロックと８×８の変換ブロックとを含む、請求項５に記載の方法。
【請求項７】
前記コンテキストを決定することが、全ての可能なサイズの変換ブロックに対して同じコンテキストに前記ＤＣ変換係数をマッピングするデータから、前記コンテキストを選択することを備える、請求項１又は３に記載の方法。
【請求項８】
前記変換係数をエントロピー復号することが、コンテキスト適応型バイナリ算術コード化（ＣＡＢＡＣ）に従って、決定された前記コンテキストを使用して前記変換係数をエントロピー復号することを備える、請求項１又は３に記載の方法。
【請求項９】
ビデオデータを復号するための装置であって、
変換ブロックの変換係数がＤＣ変換係数かどうかを決定するための手段と、
前記変換係数が前記変換ブロックの前記ＤＣ変換係数であると決定される場合、前記変換ブロックのサイズとは無関係に、前記ＤＣ変換係数である前記変換係数に基づいて前記変換係数を復号するためのコンテキストを決定するための手段と、
決定された前記コンテキストを使用して、前記変換係数をエントロピー復号するための手段とを備える、装置。
【請求項１０】
前記変換係数が第１の変換係数を備え、前記変換ブロックが第１の変換ブロックを備え、前記サイズが第１のサイズを備え、
第２の変換ブロックの第２の変換係数がＤＣ変換係数かどうかを決定するための手段と、前記第２の変換ブロックが、前記第１の変換ブロックの前記第１のサイズとは異なる第２のサイズを有する、
前記第２の変換係数が前記第２の変換ブロックの前記ＤＣ変換係数であると決定される場合、前記第２のサイズとは無関係に、前記第２の変換ブロックの前記ＤＣ変換係数である前記変換係数に基づいて、前記第２の変換係数を復号するための、前記第１の変換係数に対するコンテキストと同じコンテキストを決定するための手段と、
決定された前記コンテキストを使用して、前記第２の変換係数をエントロピー復号するための手段とをさらに備える、請求項９に記載の装置。
【請求項１１】
ビデオデータを符号化するための装置であって、
変換ブロックの変換係数がＤＣ変換係数かどうかを決定するための手段と、
前記変換係数が前記変換ブロックの前記ＤＣ変換係数であると決定される場合、前記変換ブロックのサイズとは無関係に、前記ＤＣ変換係数である前記変換係数に基づいて前記変換係数を符号化するためのコンテキストを決定するための手段と、
決定された前記コンテキストを使用して、前記変換係数をエントロピー符号化するための手段とを備える、装置。
【請求項１２】
前記変換係数が第１の変換係数を備え、前記変換ブロックが第１の変換ブロックを備え、前記サイズが第１のサイズを備え、
第２の変換ブロックの第２の変換係数がＤＣ変換係数かどうかを決定するための手段と、前記第２の変換ブロックが、前記第１の変換ブロックの前記第１のサイズとは異なる第２のサイズを有する、
前記第２の変換係数が前記第２の変換ブロックの前記ＤＣ変換係数であると決定される場合、前記第２のサイズとは無関係に、前記第２の変換ブロックの前記ＤＣ変換係数である前記変換係数に基づいて前記第２の変換係数を符号化するための同じコンテキストを決定するための手段と、
決定された前記コンテキストを使用して、前記第２の変換係数をエントロピー符号化するための手段とをさらに備える、請求項１１に記載の装置。
【請求項１３】
前記コンテキストを決定するための前記手段が、複数の異なるサイズの変換ブロックに対して同じコンテキストに前記ＤＣ変換係数をマッピングするデータから、前記コンテキストを選択するための手段を備える、
前記複数の異なるサイズの変換ブロックが、４×４の変換ブロックと８×８の変換ブロックとを含む、請求項９又は１０に記載の装置。
【請求項１４】
前記コンテキストを決定するための前記手段が、全ての可能なサイズの変換ブロックに対して同じコンテキストに前記ＤＣ変換係数をマッピングするデータから、前記コンテキストを選択するための手段を備える、請求項９又は１０に記載の装置。
【請求項１５】
前記変換係数をエントロピー復号するための前記手段が、コンテキスト適応型バイナリ算術コード化（ＣＡＢＡＣ）に従って、前記決定されたコンテキストを使用して前記変換係数をエントロピー復号することを備える、請求項９又は１０に記載の装置。
【請求項１６】
命令を記憶したコンピュータ可読記憶媒体であって、前記命令が、実行されると、プロセッサに、請求項１〜８のいずれか１項に従った方法を実行させる、命令を記憶したコンピュータ可読記憶媒体。
【手続補正２】
【補正対象書類名】明細書
【補正対象項目名】０１６８
【補正方法】変更
【補正の内容】
【０１６８】
様々な例が説明されてきた。これら及び他の例は以下の特許請求の範囲内に入る。
以下に本件出願当初の特許請求の範囲に記載された発明を付記する。
［１］  ビデオデータを復号する方法であって、ビデオブロックの変換係数がＤＣ変換係数かどうかを決定することと、前記変換係数が前記ビデオブロックの前記ＤＣ変換係数であると決定される場合、前記ビデオブロックのサイズとは無関係に、前記ＤＣ変換係数である前記変換係数に基づいて前記変換係数を復号するためのコンテキストを決定することと、決定された前記コンテキストを使用して前記変換係数をエントロピー復号することとを備える、方法。
［２］  前記変換係数が第１の変換係数を備え、前記ビデオブロックが第１のビデオブロックを備え、前記サイズが第１のサイズを備え、前記方法は、第２のビデオブロックの第２の変換係数がＤＣ変換係数かどうかを決定することと、前記第２のビデオブロックが、前記第１のビデオブロックの前記第１のサイズとは異なる第２のサイズを有する、前記第２の変換係数が前記第２のビデオブロックの前記ＤＣ変換係数であると決定される場合、前記第２のサイズとは無関係に、前記第２のビデオブロックの前記ＤＣ変換係数である前記変換係数に基づいて、前記第２の変換係数を復号するための、前記第１の変換係数に対するコンテキストと同じコンテキストを決定することと、決定された前記コンテキストを使用して、前記第２の変換係数をエントロピー復号することとをさらに備える、［１］に記載の方法。
［３］  前記コンテキストを決定することが、複数の異なるサイズのビデオブロックに対する前記同じコンテキストに前記ＤＣ変換係数をマッピングするデータから、前記コンテキストを選択することを備える、［１］に記載の方法。
［４］  前記複数の異なるサイズのビデオブロックが、４×４のビデオブロックと８×８のビデオブロックとを含む、［３］に記載の方法。
［５］  前記コンテキストを決定することが、全ての可能なサイズのビデオブロックに対する前記同じコンテキストに前記ＤＣ変換係数をマッピングするデータから、前記コンテキストを選択することを備える、［１］に記載の方法。
［６］  前記変換係数をエントロピー復号することが、コンテキスト適応型バイナリ算術コード化（ＣＡＢＡＣ）に従って、決定された前記コンテキストを使用して前記変換係数をエントロピー復号することを備える、［１］に記載の方法。
［７］  ビデオデータを復号するための装置であって、ビデオブロックの変換係数がＤＣ変換係数かどうかを決定し、前記変換係数が前記ビデオブロックの前記ＤＣ変換係数であると決定された場合、前記ビデオブロックのサイズとは無関係に、前記ＤＣ変換係数である前記変換係数に基づいて前記変換係数を復号するためのコンテキストを決定し、決定された前記コンテキストを使用して変換係数をエントロピー復号するように構成される、ビデオデコーダを備える、装置。
［８］  前記変換係数が第１の変換係数を備え、前記ビデオブロックが第１のビデオブロックを備え、前記サイズが第１のサイズを備え、前記ビデオデコーダがさらに、第２のビデオブロックの第２の変換係数がＤＣ変換係数かどうかを決定し、このとき前記第２のビデオブロックが、前記第１のビデオブロックの前記第１のサイズとは異なる第２のサイズを有し、さらに、前記第２の変換係数が前記第２のビデオブロックの前記ＤＣ変換係数であると決定される場合、前記第２のサイズとは無関係に、前記第２のビデオブロックの前記ＤＣ変換係数である前記変換係数に基づいて、前記第２の変換係数を復号するための、前記第１の変換係数に対するコンテキストと同じコンテキストを決定し、前記決定されたコンテキストを使用して、前記第２の変換係数をエントロピー復号するように構成される、［７］に記載の装置。
［９］  前記変換係数が前記ＤＣ変換係数を備える場合、前記ビデオデコーダが、複数の異なるサイズのビデオブロックに対する前記同じコンテキストに前記ＤＣ変換係数をマッピングするデータから、前記コンテキストを選択するように構成される、［７］に記載の装置。
［１０］  前記複数の異なるサイズのビデオブロックが、４×４のビデオブロックと８×８のビデオブロックとを含む、［９］に記載の装置。
［１１］  前記変換係数が前記ＤＣ変換係数を備える場合、前記ビデオデコーダが、全ての可能なサイズのビデオブロックに対する前記同じコンテキストに前記ＤＣ変換係数をマッピングするデータから、前記コンテキストを選択するように構成される、［７］に記載の装置。
［１２］  前記変換係数をエントロピー復号するために、前記ビデオデコーダが、コンテキスト適応型バイナリ算術コード化（ＣＡＢＡＣ）に従って、決定された前記コンテキストを使用して前記変換係数をエントロピー復号するように構成される、［７］に記載の装置。
［１３］  ビデオデータを復号するための装置であって、ビデオブロックの変換係数がＤＣ変換係数かどうかを決定するための手段と、前記変換係数が前記ビデオブロックの前記ＤＣ変換係数であると決定される場合、前記ビデオブロックのサイズとは無関係に、前記ＤＣ変換係数である前記変換係数に基づいて前記変換係数を復号するためのコンテキストを決定するための手段と、決定された前記コンテキストを使用して、前記変換係数をエントロピー復号するための手段とを備える、装置。
［１４］  前記変換係数が第１の変換係数を備え、前記ビデオブロックが第１のビデオブロックを備え、前記サイズが第１のサイズを備え、第２のビデオブロックの第２の変換係数がＤＣ変換係数かどうかを決定するための手段と、前記第２のビデオブロックが、前記第１のビデオブロックの前記第１のサイズとは異なる第２のサイズを有する、前記第２の変換係数が前記第２のビデオブロックの前記ＤＣ変換係数であると決定される場合、前記第２のサイズとは無関係に、前記第２のビデオブロックの前記ＤＣ変換係数である前記変換係数に基づいて、前記第２の変換係数を復号するための、前記第１の変換係数に対するコンテキストと同じコンテキストを決定するための手段と、決定された前記コンテキストを使用して、前記第２の変換係数をエントロピー復号するための手段とをさらに備える、［１３］に記載の装置。
［１５］  前記コンテキストを決定するための前記手段が、複数の異なるサイズのビデオブロックに対する前記同じコンテキストに前記ＤＣ変換係数をマッピングするデータから、前記コンテキストを選択するための手段を備える、［１３］に記載の装置。
［１６］  前記複数の異なるサイズのビデオブロックが、４×４のビデオブロックと８×８のビデオブロックとを含む、［１５］に記載の装置。
［１７］  前記コンテキストを決定するための前記手段が、全ての可能なサイズのビデオブロックに対する前記同じコンテキストに前記ＤＣ変換係数をマッピングするデータから、前記コンテキストを選択するための手段を備える、［１３］に記載の装置。
［１８］  前記変換係数をエントロピー復号するための前記手段が、コンテキスト適応型バイナリ算術コード化（ＣＡＢＡＣ）に従って、前記決定されたコンテキストを使用して前記変換係数をエントロピー復号することを備える、［１３］に記載の装置。
［１９］  命令を記憶したコンピュータ可読記憶媒体であって、前記命令が、実行されると、プロセッサに、ビデオブロックの変換係数がＤＣ変換係数かどうかを決定させ、前記変換係数が前記ビデオブロックの前記ＤＣ変換係数であると決定される場合、前記ビデオブロックのサイズとは無関係に、前記ＤＣ変換係数である前記変換係数に基づいて前記変換係数を復号するためのコンテキストを決定させ、決定された前記コンテキストを使用して前記変換係数をエントロピー復号させる、コンピュータ可読記憶媒体。
［２０］  前記変換係数が第１の変換係数を備え、前記ビデオブロックが第１のビデオブロックを備え、前記サイズが第１のサイズを備え、前記プロセッサに、第２のビデオブロックの第２の変換係数がＤＣ変換係数かどうかを決定させ、このとき前記第２のビデオブロックが、前記第１のビデオブロックの前記第１のサイズとは異なる第２のサイズを有し、前記第２の変換係数が前記第２のビデオブロックの前記ＤＣ変換係数であると決定される場合、前記第２のサイズとは無関係に、前記第２のビデオブロックの前記ＤＣ変換係数である前記変換係数に基づいて、前記第２の変換係数を復号するための、前記第１の変換係数に対するコンテキストと同じコンテキストを決定させ、決定された前記コンテキストを使用して、前記第２の変換係数をエントロピー復号させる命令をさらに備える、［１９］に記載のコンピュータ可読記憶媒体。
［２１］  前記プロセッサに前記コンテキストを決定させる前記命令が、前記プロセッサに、複数の異なるサイズのビデオブロックに対する前記同じコンテキストに前記ＤＣ変換係数をマッピングするデータから、前記コンテキストを選択させる命令を備える、［１９］に記載のコンピュータ可読記憶媒体。
［２２］  前記複数の異なるサイズのビデオブロックが、４×４のビデオブロックと８×８のビデオブロックとを含む、［２１］に記載のコンピュータ可読記憶媒体。
［２３］  前記プロセッサに前記コンテキストを決定させる前記命令が、前記プロセッサに、全ての可能なサイズのビデオブロックに対する前記同じコンテキストに前記ＤＣ変換係数をマッピングするデータから、前記コンテキストを選択させる命令を備える、［１９］に記載のコンピュータ可読記憶媒体。
［２４］  前記プロセッサに前記変換係数をエントロピー復号させる前記命令が、前記プロセッサに、コンテキスト適応型バイナリ算術コード化（ＣＡＢＡＣ）に従って、決定された前記コンテキストを使用して前記変換係数をエントロピー復号させる命令を備える、［１９］に記載のコンピュータ可読記憶媒体。
［２５］  ビデオデータを符号化する方法であって、ビデオブロックの変換係数がＤＣ変換係数かどうかを決定することと、前記変換係数が前記ビデオブロックの前記ＤＣ変換係数であると決定される場合、前記ビデオブロックのサイズとは無関係に、前記ＤＣ変換係数である前記変換係数に基づいて前記変換係数を符号化するためのコンテキストを決定することと、決定された前記コンテキストを使用して前記変換係数をエントロピー符号化することとを備える、方法。
［２６］  前記変換係数が第１の変換係数を備え、前記ビデオブロックが第１のビデオブロックを備え、前記サイズが第１のサイズを備え、前記方法は、第２のビデオブロックの第２の変換係数がＤＣ変換係数かどうかを決定することと、前記第２のビデオブロックが、前記第１のビデオブロックの前記第１のサイズとは異なる第２のサイズを有する、前記第２の変換係数が前記第２のビデオブロックの前記ＤＣ変換係数であると決定される場合、前記第２のサイズとは無関係に、前記第２のビデオブロックの前記ＤＣ変換係数である前記変換係数に基づいて前記第２の変換係数を符号化するための同じコンテキストを決定することと、決定された前記コンテキストを使用して、前記第２の変換係数をエントロピー符号化することとをさらに備える、［２５］に記載の方法。
［２７］  前記コンテキストを決定することが、複数の異なるサイズのビデオブロックに対する前記同じコンテキストに前記ＤＣ変換係数をマッピングするデータから、前記コンテキストを選択することを備える、［２５］に記載の方法。
［２８］  前記複数の異なるサイズのビデオブロックが、４×４のビデオブロックと８×８のビデオブロックとを含む、［２７］に記載の方法。
［２９］  前記コンテキストを決定することが、全ての可能なサイズのビデオブロックに対する前記同じコンテキストに前記ＤＣ変換係数をマッピングするデータから、前記コンテキストを選択することを備える、［２５］に記載の方法。
［３０］  前記変換係数をエントロピー符号化することが、コンテキスト適応型バイナリ算術コード化（ＣＡＢＡＣ）に従って、決定された前記コンテキストを使用して前記変換係数をエントロピー符号化することを備える、［２５］に記載の方法。
［３１］  ビデオデータを符号化するための装置であって、ビデオブロックの変換係数がＤＣ変換係数かどうかを決定し、前記変換係数が前記ビデオブロックの前記ＤＣ変換係数であると決定された場合、前記ビデオブロックのサイズとは無関係に、前記ＤＣ変換係数である前記変換係数に基づいて前記変換係数を符号化するためのコンテキストを決定し、決定された前記コンテキストを使用して変換係数をエントロピー符号化するように構成される、ビデオエンコーダを備える、装置。
［３２］  前記変換係数が第１の変換係数を備え、前記ビデオブロックが第１のビデオブロックを備え、前記サイズが第１のサイズを備え、前記ビデオエンコーダがさらに、第２のビデオブロックの第２の変換係数がＤＣ変換係数かどうかを決定し、このとき前記第２のビデオブロックが、前記第１のビデオブロックの前記第１のサイズとは異なる第２のサイズを有し、さらに、前記第２の変換係数が前記第２のビデオブロックの前記ＤＣ変換係数であると決定される場合、前記第２のサイズとは無関係に、前記第２のビデオブロックの前記ＤＣ変換係数である前記変換係数に基づいて、前記第２の変換係数を符号化するための同じコンテキストを決定し、決定された前記コンテキストを使用して、前記第２の変換係数をエントロピー符号化するように構成される、［３１］に記載の装置。
［３３］  前記変換係数が前記ＤＣ変換係数を備える場合、前記ビデオエンコーダが、複数の異なるサイズのビデオブロックに対する前記同じコンテキストに前記ＤＣ変換係数をマッピングするデータから、前記コンテキストを選択するように構成される、［３１］に記載の装置。
［３４］  前記複数の異なるサイズのビデオブロックが、４×４のビデオブロックと８×８のビデオブロックとを含む、［３３］に記載の装置。
［３５］  前記変換係数が前記ＤＣ変換係数を備える場合、前記ビデオエンコーダが、全ての可能なサイズのビデオブロックに対する前記同じコンテキストに前記ＤＣ変換係数をマッピングするデータから、前記コンテキストを選択するように構成される、［３１］に記載の装置。
［３６］  前記変換係数をエントロピー符号化するために、前記ビデオエンコーダが、コンテキスト適応型バイナリ算術コード化（ＣＡＢＡＣ）に従って、決定された前記コンテキストを使用して前記変換係数をエントロピー符号化するように構成される、［３１］に記載の装置。
［３７］  ビデオデータを符号化するための装置であって、ビデオブロックの変換係数がＤＣ変換係数かどうかを決定するための手段と、前記変換係数が前記ビデオブロックの前記ＤＣ変換係数であると決定される場合、前記ビデオブロックのサイズとは無関係に、前記ＤＣ変換係数である前記変換係数に基づいて前記変換係数を符号化するためのコンテキストを決定するための手段と、決定された前記コンテキストを使用して、前記変換係数をエントロピー符号化するための手段とを備える、装置。
［３８］  前記変換係数が第１の変換係数を備え、前記ビデオブロックが第１のビデオブロックを備え、前記サイズが第１のサイズを備え、第２のビデオブロックの第２の変換係数がＤＣ変換係数かどうかを決定するための手段と、前記第２のビデオブロックが、前記第１のビデオブロックの前記第１のサイズとは異なる第２のサイズを有する、前記第２の変換係数が前記第２のビデオブロックの前記ＤＣ変換係数であると決定される場合、前記第２のサイズとは無関係に、前記第２のビデオブロックの前記ＤＣ変換係数である前記変換係数に基づいて前記第２の変換係数を符号化するための同じコンテキストを決定するための手段と、決定された前記コンテキストを使用して、前記第２の変換係数をエントロピー符号化するための手段とをさらに備える、［３７］に記載の装置。
［３９］  前記コンテキストを決定するための前記手段が、複数の異なるサイズのビデオブロックに対する前記同じコンテキストに前記ＤＣ変換係数をマッピングするデータから、前記コンテキストを選択するための手段を備える、［３７］に記載の装置。
［４０］  前記複数の異なるサイズのビデオブロックが、４×４のビデオブロックと８×８のビデオブロックとを含む、［３９］に記載の装置。
［４１］  前記コンテキストを決定するための前記手段が、全ての可能なサイズのビデオブロックに対する前記同じコンテキストに前記ＤＣ変換係数をマッピングするデータから、前記コンテキストを選択するための手段を備える、［３７］に記載の装置。
［４２］  前記変換係数をエントロピー符号化するための前記手段が、コンテキスト適応型バイナリ算術コード化（ＣＡＢＡＣ）に従って、決定された前記コンテキストを使用して前記変換係数をエントロピー符号化することを備える、［３７］に記載の装置。
［４３］  命令を記憶したコンピュータ可読記憶媒体であって、前記命令が、実行されると、プロセッサに、ビデオブロックの変換係数がＤＣ変換係数かどうかを決定させ、前記変換係数が前記ビデオブロックの前記ＤＣ変換係数であると決定される場合、前記ビデオブロックのサイズとは無関係に、前記ＤＣ変換係数である前記変換係数に基づいて前記変換係数を符号化するためのコンテキストを決定させ、決定された前記コンテキストを使用して前記変換係数をエントロピー符号化させる、コンピュータ可読記憶媒体。
［４４］  前記変換係数が第１の変換係数を備え、前記ビデオブロックが第１のビデオブロックを備え、前記サイズが第１のサイズを備え、前記プロセッサに、第２のビデオブロックの第２の変換係数がＤＣ変換係数かどうかを決定させ、このとき前記第２のビデオブロックが、前記第１のビデオブロックの前記第１のサイズとは異なる第２のサイズを有し、前記第２の変換係数が前記第２のビデオブロックの前記ＤＣ変換係数であると決定される場合、前記第２のサイズとは無関係に、前記第２のビデオブロックの前記ＤＣ変換係数である前記変換係数に基づいて前記第２の変換係数を符号化するための同じコンテキストを決定させ、決定された前記コンテキストを使用して、前記第２の変換係数をエントロピー符号化させる命令をさらに備える、［４３］に記載のコンピュータ可読記憶媒体。
［４５］  前記プロセッサに前記コンテキストを決定させる前記命令が、前記プロセッサに、複数の異なるサイズのビデオブロックに対する前記同じコンテキストに前記ＤＣ変換係数をマッピングするデータから、前記コンテキストを選択させる命令を備える、［４３］に記載のコンピュータ可読記憶媒体。
［４６］  前記複数の異なるサイズのビデオブロックが、４×４のビデオブロックと８×８のビデオブロックとを含む、［４５］に記載のコンピュータ可読記憶媒体。
［４７］  前記プロセッサに前記コンテキストを決定させる前記命令が、前記プロセッサに、全ての可能なサイズのビデオブロックに対する同じ前記コンテキストに前記ＤＣ変換係数をマッピングするデータから、前記コンテキストを選択させる命令を備える、［４３］に記載のコンピュータ可読記憶媒体。
［４８］  前記プロセッサに前記変換係数をエントロピー符号化させる前記命令が、前記プロセッサに、コンテキスト適応型バイナリ算術コード化（ＣＡＢＡＣ）に従って、決定された前記コンテキストを使用して前記変換係数をエントロピー符号化させる命令を備える、［４３］に記載のコンピュータ可読記憶媒体。